(57)【要約】 【課題】硬貨を投入するたびに全体が動くことで、特に、子供が喜び、貯金への興味を覚え、楽しみながら貯金をするようになるスイング貯金箱を提供する。【解決手段】スイング貯金箱１０を、当該スイング貯金箱１０を構成する本体部１２，１５のそれぞれに設けられた硬貨投入口１２Ａ，１５Ａから投入された硬貨１００を貯留すると共に、垂直面内で左右に並列状態で配置された第１、第２の硬貨貯留部材１１，１４と、これらの各硬貨貯留部材１１，１４の下端部間に架けわたされると共に、接地面が円弧状に形成されかつ各硬貨貯留部材同士１１，１４を連結する下連結部材１９と、を備えて構成した。そして、各硬貨貯留部材同士１１，１４の側面下部には、それぞれ硬貨取出し口１２Ｂ，１５Ｂが設けられている。【選択図】 図４
0003192538.tif 000002
【実用新案登録請求の範囲】
【請求項１】
それぞれ硬貨投入口および硬貨取出し口を有し前記硬貨投入口から投入された硬貨を貯留すると共に垂直面内で左右に並列状態で配置された箱状の第１、第２の硬貨貯留部材と、
これらの第１、第２の硬貨貯留部材の下端部間に架けわたされ当該第１、第２の硬貨貯留部材同士を連結すると共に接地面が円弧状に形成された下連結部材と、を備えて構成し、
前記第１、第２の硬貨貯留部材の内面の底端面部を各硬貨貯留部材の垂直方向の中心より少なくとも外側に位置するように配置したことを特徴とするスイング貯金箱。
【請求項２】
請求項１に記載のスイング貯金箱において、
前記硬貨取出し口を、
前記各硬貨貯留部材のそれぞれの下部側の側面に切欠き形成された開口部と、この開口部を開閉自在に塞ぐ硬貨取出し用蓋部材とで構成し、
前記開口部の前記側面の表面側の縁部に第１の面ファスナーを設けると共に、前記硬貨取出し用蓋部材の内周面に前記第１の面ファスナーと係着自在の第２の面ファスナーを設けたことを特徴とするスイング貯金箱。
【請求項３】
請求項１または請求項２に記載のスイング貯金箱において、
前記第１、第２の硬貨貯留部材の表面に、投入された硬貨により前記いずれかの硬貨貯留部材側が重くなってその方向に傾いたとき、当該重くなった硬貨貯留部材側に動く移動部材を設け、この移動部材を目玉模様部の眼球部で構成したことを特徴とするスイング貯金箱。
【請求項４】
垂直面内で間隔をおいて配置された第１，２の面部材と、
これらの第１，２の面部材間に当該第１，２の面部材と直交して配置され、それぞれ硬貨投入口および硬貨取出し口を有すると共に前記硬貨投入口から投入された硬貨を貯留しかつ左右に並列状態で配置された第１，２の硬貨貯留部材と、を備えて構成し、
前記第１，２の面部材の接地面を円弧状に形成したことを特徴とするスイング貯金箱。
【請求項５】
請求項４に記載のスイング貯金箱において、
前記第１，２の硬貨貯留部材のそれぞれを、断面扇型の筒状部材と、前記第１，２の面部材の前記筒状部材の開口両端と当接する部位とで構成し、
前記第１，２の硬貨貯留部材を、前記各筒状部材のそれぞれの一辺同士を背中合わせで当接すると共に当該一辺同士を垂直線上に配置して構成したことを特徴とするスイング貯金箱。
【請求項６】
請求項４または請求項５に記載のスイング貯金箱において、
前記２枚の面部材の外形形状を動物に模した外形形状としたことを特徴とするスイング貯金箱。
【請求項７】
請求項４ないし請求項６のいずれか一つに記載のスイング貯金箱において、
前記２枚の面部材のうち少なくとも１枚の面部材表面に、投入された硬貨により前記いずれかの硬貨貯留部材側が重くなってその方向に傾いたとき、当該重くなった硬貨貯留部材側に動く移動部材を設けたことを特徴とするスイング貯金箱。
【請求項８】
請求項７に記載のスイング貯金箱において、
前記移動部材を、前記少なくとも１枚の面部材表面に設けられた目玉模様部の眼球部で構成したことを特徴とするスイング貯金箱。
【考案の詳細な説明】
【技術分野】
【０００１】
本考案はスイング貯金箱に係り、さらに詳しくは、特に、子供が貯金への興味を覚え、楽しみながら貯金をするようになるスイング貯金箱に関する。
【背景技術】
【０００２】
従来から、貯金箱としては多種多様のものが提供されている。
例えば、硬貨を投入するとその全体の金額が表示されるものや、建造物、乗り物、動物、人形など、物や生物の形体を模したもので投入口へ直接硬貨を投入するもの等がある。
また、様々な仕掛けを備えた貯金箱も多く知られている。このような構成のものでは、仕掛けに変化があるので興味をそそり、貯金することに面白みを持たせることができる。その一例として、人形の口がコイン投入口となっており、そこからコインを順次投入していくと、人形の腹部が徐々に膨らむ構成となっている貯金箱が知られている（例えば、特許文献１参照）。
【先行技術文献】
【特許文献】
【０００３】
【特許文献１】実開平５−２１７１７号公報
【考案の概要】
【考案が解決しようとする課題】
【０００４】
しかし、単純に物や生物の形体を模した貯金箱では、投入口へ硬貨を投入するだけなので面白みがなく、特に子供は、当初はともかく次第に興味がなくなり、貯金への意欲が薄れてしまう。
また、特許文献１に開示された貯金箱は、コイン投入口からコインを順次投入していくと、人形の腹部が徐々に膨らむようになっているので、面白い貯金箱である。
しかし、腹部が膨らむまでには、ある程度の数量のコインを投入しなければならず、例えば、１枚、２枚のコインを投入しても、腹部の変化を顕著に見ることはできず、依然として、変化に乏しいという問題がある。
〔考案の目的〕
【０００５】
本考案は上記各問題点を解決するために提案されたものであり、硬貨を投入するたびに全体が動くことで、特に、子供が喜び、貯金への興味を覚え、楽しみながら貯金をするようになるスイング貯金箱を提供することを目的とする。
【課題を解決するための手段】
【０００６】
本考案に係る第１の考案のスイング貯金箱は、それぞれ硬貨投入口および硬貨取出し口を有し前記硬貨投入口から投入された硬貨を貯留すると共に垂直面内で左右に並列状態で配置された箱状の第１、第２の硬貨貯留部材と、これらの第１、第２の硬貨貯留部材の下端部間に架けわたされ当該第１、第２の硬貨貯留部材同士を連結すると共に接地面が円弧状に形成された下連結部材と、を備えて構成し、
前記第１、第２の硬貨貯留部材の内面の底面部を各硬貨貯留部材の垂直方向の中心より少なくとも外側に位置するように配置したことを特徴とする。
【０００７】
本考案に係る第２の考案のスイング貯金箱は、垂直面内で間隔をおいて配置された第１，２の面部材と、これらの第１，２の面部材間に当該第１，２の面部材と直交して配置され、それぞれ硬貨投入口および硬貨取出し口を有すると共に前記硬貨投入口から投入された硬貨を貯留しかつ左右に並列状態で配置された第１，２の硬貨貯留部材と、を備えて構成し、
前記第１，２の面部材の接地面を円弧状に形成したことを特徴とする。
【考案の効果】
【０００８】
第１の考案のスイング貯金箱は以上のように構成されているので、２つの硬貨貯留部材のそれぞれの硬貨投入口のいずれかから硬貨を投入すると、硬貨を投入した方の硬貨貯留部材側が重くなる。そうすると、各硬貨貯留部材を連結する下連結部材の接地面が円弧状に形成されているので、スイング貯金箱は、重くなった方の硬貨貯留部材側が床面に近づく方向に傾き、次に、反対側の硬貨貯留部材に、先に投入した硬貨の量より多い硬貨を投入すると、その硬貨の重みにより硬貨貯留部材側が最初とは反対側に傾く。
硬貨を投入するたびに、スイング貯金箱が左右に揺動するので、変化に富んだ動きとなり、特に、子供が喜び、貯金への興味を覚え、楽しみながら貯金をするようになる。
この場合、第１、第２の硬貨貯留部材の表面に、例えば、目や口を描いて、スイング貯金箱を人に模した形状にし、さらに、目の眼球がスイング貯金箱の揺動に連れてコロコロと転がるように構成しておけば、動きに一層の変化が生じて、子供が喜ぶものとすることができる。
【０００９】
また、第２の考案のスイング貯金箱は以上のように構成されているので、２つの硬貨貯留部材のそれぞれの硬貨投入口のいずれかから硬貨を投入すると、硬貨を投入した方の硬貨貯留部材側が重くなる。そうすると、２枚の面部材の接地面が円弧状に形成されているので、スイング貯金箱は、重くなった方の硬貨貯留部材側が床面に近づく方向に傾き、次に、反対側の硬貨貯留部材に、先に投入した硬貨の量より多い硬貨を投入すると、その硬貨の重みにより硬貨貯留部材側が最初とは反対側に傾く。
硬貨を投入するたびに、スイング貯金箱が左右に揺動するので、変化に富んだ動きとなり、特に、子供が喜び、貯金への興味を覚え、楽しみながら貯金をするようになる。
特に、面部材を、例えば、表面に長い耳や丸く赤い目を付けてウサギの顔状にすることもでき、このようにすると、より可愛いスイング貯金箱とすることができ、特に小さな子供がより喜ぶようになる。
【図面の簡単な説明】
【００１０】
【図１】本考案に係る第１の考案のスイング貯金箱の実施形態を示す全体正面図である。
【図２】図１におけるII矢視図である。
【図３】図１におけるIII矢視図である。
【図４】図３におけるIV−IV線に沿った縦断面図である。
【図５】前記実施形態の硬貨取出し口を示す部分拡大断面図である。
【図６】前記実施形態のスイング貯金箱のスイング状態を表し、図６（Ａ）は第２の硬貨投入口から硬貨を投入した際の状態、図（Ｂ）は第１の硬貨投入口から多くの硬貨を投入した際の状態を示す動き図である。
【図７】本考案に係る第２の考案のスイング貯金箱の実施形態を示す全体正面図である。
【図８】図７におけるVIII矢視図である。
【図９】図７におけるIX 矢視図である。
【図１０】図９におけるX−X 線に沿った縦断面図である。
【図１１】前記第２の考案のスイング貯金箱のスイング状態を表し、図１１（Ａ）は第２の硬貨投入口から硬貨を投入した際の状態、図１１（Ｂ）は第１の硬貨投入口から硬貨を投入した際の状態を示す動き図である。
【図１２】本考案に係る第２の考案のスイング貯金箱の変形形態を示す全体正面図である。
【考案を実施するための形態】
【００１１】
以下に、図を参照して本考案に係る第１の考案のスイング貯金箱の一実施形態を説明する。
図１には、本第１実施形態のスイング貯金箱１０の全体が示され、図２には図１のII矢視、図３には図１のIII矢視がそれぞれ示されている。
【００１２】
図１，３，４に示すように、本実施形態のスイング貯金箱１０は、投入された硬貨１００を貯留する第１、第２の硬貨貯留部材１１，１４を備えて構成され、各硬貨貯留部材１１，１４を構成する本体部１２，１５にそれぞれ設けられた硬貨投入口１２Ａ，１５Ａから、硬貨１００を投入するたびに貯金箱１０の全体が左右に揺動運動するように構成されたものである。
【００１３】
すなわち、スイング貯金箱１０は、上記硬貨投入口１２Ａ，１５Ａから投入された硬貨１００を貯留すると共に、垂直面内で左右方向に並列状態で配置された上記第１、第２の硬貨貯留部材１１，１４と、これらの第１、第２の硬貨貯留部材１１，１４の下端部間に架けわたされると共に、接地面が円弧状に形成され、かつ第１、第２の硬貨貯留部材１１，１４同士を揺動可能に連結する下連結部材１９と、を備えて構成されている。
【００１４】
第１、第２の硬貨貯留部材１１，１４は、図３，４に示すように、それぞれ、筒状（本実施形態では円筒状）の上記本体部１２，１５と、これらの本体部１２，１５の両端の開口部を塞ぐ蓋部材１３，１６とで構成されている。各本体部１２，１５は水平な状態で配置されており、互いの水平方向の中心線上の外周面同士が当接した状態となっている。
その結果、第１、第２の硬貨貯留部材１１，１４の内面の底端面部は、円筒状の本体部１２，１５の直径の中心部にあることになり、互いの硬貨貯留部材１１，１４が接する垂直線に対して離れている。
また、各硬貨貯留部材１１，１４は、例えば、プラスチック等の合成樹脂で形成されている。
【００１５】
第１、第２の硬貨貯留部材１１，１４のそれぞれ上部側には、前記硬貨投入口１２Ａ，１５Ａが設けられており、また、各硬貨貯留部材１１，１４のそれぞれの下部側には、図３〜５に示すように、硬貨取出し口１２Ｂ，１５Ｂが設けられている。
硬貨投入口１２Ａ，１５Ａは、各硬貨貯留部材１１，１４の並列方向に長い細長形状に形成されており、この硬貨投入口１２Ａ，１５Ａは、各種硬貨のうち、最大径の５００円硬貨が挿通できる大きさに形成されている。
なお、硬貨投入口１２Ａ，１５Ａを本体部１２，１５の長さ方向に沿って形成してもよい。
【００１６】
前記各硬貨取出し口１２Ｂ，１５Ｂは、各硬貨貯留部材１１，１４のそれぞれの下部側の側面に３方が切欠かれた開口部１２Ｃ，１５Ｃと、これらの開口部１２Ｃ，１５Ｃを塞ぐ取出し口用蓋１２Ｄ，１５Ｄとで構成されている。
【００１７】
取出し口用蓋１２Ｄ，１５Ｄは、上記開口部１２Ｃ，１５Ｃの残りの切欠き片で形成されると共に、残りの切欠き片の基端部Ｋを起点として、開口部１２Ｃ，１５Ｃに対して開閉自在となっている。なお、基端部Ｋ（図５参照）には所定の折目が形成されている。
図５に示すように、開口部１２Ｃの上部側の一辺に臨む側面の外周面には、第１の面ファスナー１７が設けられている。これに対して、取出し口用蓋１２Ｄの先端の外表面には、第１の面ファスナー１７に係着自在となった第２の面ファスナー１８が設けられている。
【００１８】
第１の面ファスナー１７は、マジックテープ（登録商標名）の例えばメス型で構成され、第２の面ファスナー１８はオス型で構成されている。
そのため、通常時は、オス型で構成された第２の面ファスナー１８を、メス型で構成された第１の面ファスナー１７に係止した状態となっているが、硬貨１００を取出す際には、第２の面ファスナー１８の上部を第１の面ファスナー１７から剥がし、開口部１２Ｃから硬貨１００を取出すことができるようになっている。
【００１９】
また、第２の面ファスナー１８の先端は、第１の面ファスナー１７の上部より所定寸法だけ長く形成されており、第２の面ファスナー１８を第１の面ファスナー１７から剥がし易いようになっている。そして、第２の面ファスナー１８は、取出し口用蓋１２Ｄの先端部に設けられた突起部１２Ｅに貼り付けられている。
なお、図５は、第１の硬貨貯留部材１１の硬貨取り出し口１２Ｂの詳細を示しているが、第２の硬貨貯留部材１４の硬貨取り出し口１５Ｂの構成も、上記硬貨取り出し口１２Ｂと全く同様である。
【００２０】
図１に戻って、各硬貨貯留部材１１，１４は、それぞれの対向側面の下部側間に架けわたされた前記下連結部材１９で連結され、補強されている。
下連結部材１９は、所定の板厚のプラスチック等の合成樹脂で形成されており、各硬貨貯留部材１１，１４の厚さ寸法と略同じ寸法の幅に形成されている。そして、各硬貨貯留部材１１，１４の下部から離れる方向に膨出した所定Ｒの半径を有する略円弧状に形成されており、この下連結部材１９の裏面が接地面となっている(図４参照)。
【００２１】
下連結部材１９の長さ方向の両端部は、それぞれの先端一部が各硬貨貯留部材１１，１４の下部の所定位置に接着等により固着されている。このとき、下連結部材１９の上記先端部は、前記硬貨取り出し口１２Ｂ，１５Ｂを構成する取出し口用蓋１２Ｄ，１５Ｄの基端部の近傍に位置している。
また、各硬貨貯留部材１１，１４の上部において、互いに対向する側面部同士間には当該硬貨貯留部材１１，１４間を連結する上連結部材２３が架けわたされている。
【００２２】
また、下連結部材１９の上面で、かつ各硬貨貯留部材１１，１４の垂直面内の接線上には、下連結部材１９の補強を兼ねた口部２０が配置されている。
この口部２０は、図４に示すように、断面略楕円の筒状本体部２１と、この筒状本体部２１の開口部の両端を塞ぐ端面蓋部２２とで形成されている。そして、口部２０は、図２，３に示すように、各硬貨貯留部材１１，１４および下連結部材１９の幅方向両端部からわずかに外側に飛び出た形状となっている。
【００２３】
口部２０は、その外周が、各硬貨貯留部材１１，１４のそれぞれの接地面の一部と、下連結部材１９の長さ方向の略中央部との３か所に接しており、それぞれの個所が接着等により一体に連結されている。
なお、口部２０の端面蓋部２２には、図１等に示すように歯並びが描かれている。
【００２４】
ここで、下連結部材１９と口部２０とを各硬貨貯留部材１１，１４に取付けるには、例えば、下連結部材１９の上面かつ長さ方向の中央部に口部２０を接着等で固着した後、一体化された下連結部材１９と口部２０とを、口部２０の上面の２か所を、硬貨貯留部材１１，１４の下部側の外周面の一部に当接させた状態で、接着等により固着することで行われる。
ただし、上記取付けはどのような手順で行ってもよい。
【００２５】
図１に示すように、本第１実施形態のスイング貯金箱１０は、全体形状が人の顔を模した形状となっており、上述のように、口部２０の他に目玉模様部２５が設けられている。
すなわち、各硬貨貯留部材１１，１４におけるそれぞれの蓋部材１３，１６の表面には、目玉模様部２５が設けられており、この目玉模様部２５には、各硬貨貯留部材１１，１４の揺動に対応して移動する移動部材である眼球部２５Ｂが設けられている。
【００２６】
目玉模様部２５は、目瞼部２５Ａと、上記眼球部２５Ｂと、目瞼部２５Ａの外表面を被う透明なフィルム状部材２５Ｃとで構成されており、上記眼球部２５Ｂは目瞼部２５Ａの内部を転動自在となっている。
なお、眼球部２５Ｂは、厚紙やプラスチック等のプレート部材を円板状に切り抜いて形成されている。また、眼球部２５Ｂは黒色となっていることが好ましいが、欧米人等に模して青色の眼球部２５Ｂとしてもよい。
【００２７】
目玉模様部２５が以上のような構成となっているので、硬貨貯留部材１１，１４のいずれか一方、例えば、第２の硬貨貯留部材１４に硬貨１００が投入されたとき、その硬貨１００の重みによってその硬貨貯留部材１４側に重心が移り、図６（Ａ）に示すように、スイング貯金箱１０が右側に傾く。そして、スイング貯金箱１０の揺動に連れて、目玉模様部２５の眼球部２５Ｂが目瞼部２５Ａ内を、硬貨貯留部材１２が傾いた方に転動する。
【００２８】
これに対して、硬貨貯留部材１１に硬貨１００が投入され、かつその硬貨１００が、硬貨貯留部材１４に投入された硬貨１００よりも多い場合（重量が重い場合）、硬貨貯留部材１１側に重心が移り、スイング貯金箱１０は、図６（Ｂ）に示すように、スイング貯金箱１０が左側に傾く。そして、スイング貯金箱１０の揺動に連れて、目玉模様部２５の眼球部２５Ｂが目瞼部２５Ａ内を、硬貨貯留部材１１が傾いた方に転動する。
【００２９】
以上のように、硬貨１００を硬貨貯留部材１１，１４に交互に投入するたびに、硬貨貯留部材１１，１４が左右に揺動し、それに連れて目玉模様部２５の眼球部２５Ｂがコロコロと転動するので、その動きを見るだけでも楽しいものとなり、特に、小さな子供の興味を引きやすい。
【００３０】
次に、以上のような構成のスイング貯金箱１０の使用状態（動き）を、図６を参照して説明する。
【００３１】
まず、スイング貯金箱１０が、図１に示すような水平状態から、図６（Ａ）に示すように、例えば、第２の硬貨貯留部材１４の硬貨投入口１５Ａから硬貨１００を投入した場合、その硬貨１００が硬貨貯留部材１４の下部貯留部に貯留されることになり、その重みにより、下連結部材１９を介してスイング貯金箱１０が揺れ動き左側に傾く。
この動きに連れて、目玉模様部２５の眼球部２５Ｂが目瞼部２５Ａ内をコロコロと転がり、硬貨貯留部材１４側に移動し、左右の眼球部２５Ｂが斜め左側下方を見ている状態となる。
【００３２】
次に、第１の硬貨貯留部材１１の硬貨投入口１２Ａから、先に投入した硬貨投入口１５Ａからの硬貨１００と同じ種類の硬貨１００を投入すると、その硬貨１００の重みにより、第１の硬貨貯留部材１１側が初期の水平状態に戻る。そして、このとき、目玉模様部２５の眼球部２５Ｂも第１の硬貨貯留部材１１の動きに連れて転動し、初期位置（図１の状態）に戻る。
【００３３】
今度は、図６（Ｂ）に示すように、スイング貯金箱１０の硬貨投入口１２Ｃから、新たな硬貨１００を投入すると、その硬貨１００が第１の硬貨貯留部材１１の下端部に貯留されることになり、その重みにより、スイング貯金箱１０が揺れ動き右側に傾く。
この動きに連れて、目玉模様部２５の眼球部２５Ｂが目瞼部２５Ａ内をコロコロと転がり、硬貨貯留部材１１側に移動し、左右の眼球部２５Ｂが斜め右側下方を見ている状態となる。
【００３４】
以上に述べたように、硬貨１００が異なる投入硬貨投入口１２Ａ，１５Ａから投入されるたびに、スイング貯金箱１０が左右に揺動（スイング）することになる。そして、左右に揺動するたびに、目玉模様部２５の左右の眼球部２５Ｂが目瞼部２５Ａ内でコロコロ転がり、スイング貯金箱１０が傾いた方に動く。
【００３５】
以上のような第１実施形態のスイング貯金箱１０によれば、次のような効果が得られる。
（１）第１，２の硬貨貯留部材１１，１４のいずれかに硬貨１００が投入されると、投入された方の硬貨貯留部材１４等が重くなり、スイング貯金箱１０は重くなった方に傾く。また、反対側の硬貨貯留部材に、先に投入した硬貨の量より多い硬貨１００を投入すると、その硬貨１００の重みにより硬貨貯留部材１１等が最初とは反対側に傾く。
硬貨１００を投入するたびに、スイング貯金箱１０が左右に揺動するので、変化に富んだ動きとなり、特に、小さな子供が喜び、貯金への興味を覚え、楽しみながら貯金をするようになる。
【００３６】
（２）第１，２の硬貨貯留部材１１，１４のいずれかに、硬貨１００を交互に投入するたびに、スイング貯金箱１０が左右に揺動すると共に、その動きに連れて、目玉模様部２５の左右の眼球部２５Ｂがコロコロと転がり動くので、左右の眼球部２５Ｂが左を向いたり、右を向いたりするので、表情が面白く、小さな子供が喜ぶ。
【００３７】
（３）並列状態で配置された２個の貯留部材１１，１４が、円筒状の箱部材で構成されており、それぞれの底面部が垂直線を挟んで離れているので、投入された硬貨１００が、例えば１円のように軽い重量であっても反応する。その結果、少しの金額であってもスイング貯金箱１０が左右に揺動し、動きの変化を楽しめる。
【００３８】
（４）スイング貯金箱１０の硬貨取出し口１２Ｂ，１５Ｂが、各硬貨貯留部材１１，１４のそれぞれの下部側の側面に３方が切欠かれた開口部１２Ｃ，１５Ｃと、これらの開口部１２Ｃ，１５Ｃを塞ぐ取出し口用蓋１２Ｄ，１５Ｄとで構成され、蓋１２Ｄ，１５Ｄは、開口部１２Ｃ，１５Ｃを形成した残りで形成されているので、スイング貯金箱１０の揺動に支障がない。
【００３９】
（５）各硬貨貯留部材１１，１４の開口部１２Ｃ，１５Ｃの１つの縁部には第１の面ファスナー１７が設けられ、取出し口用蓋１２Ｄ，１５Ｄの裏面には、第１の面ファスナー１７と係止し合う第２の面ファスナー１８が設けられており、第２の面ファスナー１８の先端が第１の面ファスナー１７の先端より外側に長くなっているので、硬貨取出し口１２Ｂ，１５Ｂから硬貨１００を取出すには、それぞれ取出し口用蓋１２Ｄ，１５Ｄを引張り、第１の面ファスナー１７と第２の面ファスナー１８との係合を外せばよいので、容易に硬貨１００を取出すことができる。
【００４０】
次に、図７〜１１に基づいて、本考案に係る第２考案のスイング貯金箱の一実施形態を説明する。
【００４１】
本第２実施形態のスイング貯金箱３０は、図７〜１０に示すように、垂直面内で間隔をおいてかつ互いに対向配置された第１，２の面部材３７，３８を備えて構成されている。
これらの第１，２の面部材３７，３８間には、当該第１，２の面部材３７，３８と直交して配置されると共に、垂直面内で隣接して設けられた第１，２の硬貨貯留部材３１，３４とが設けられている。
【００４２】
各面部材３７，３８は、それぞれが、例えば所定厚さのプラスチック等の合成樹脂で形成され、かつ、外形形状が略円板形状に形成されている。また、各硬貨貯留部材３１，３４も、例えば所定厚さのプラスチック等の合成樹脂で形成されている。
【００４３】
２枚の面部材３７，３８は、図７に示すように、その外形形状がウサギの顔を模した形状に形成されている。
すなわち、各面部材３７，３８の上部に２つの長い耳３７Ａ，３８Ａが形成されており、顔の上部側に２つの丸い目玉模様部３９が設けられている。これらの目玉模様部３９は、移動部材を構成する眼球部３９Ｂと目瞼部３９Ａとで構成され、眼球部３９Ｂがスイング貯金箱３０の揺動運動に連れて転動するようになっている。そして、眼球部３９Ｂは赤色で構成されていることが好ましい。
また、目瞼部３９Ａの表面には、透明なフィルム状部材３８Ｃが貼り付けられている。
【００４４】
前記各硬貨貯留部材３１，３４は、図１０に示すように、断面略扇形状の筒状に形成された本体部３２，３５と、面部材３７，３８において各本体部３２，３５の両端開口部が当接された部位とで構成されている。
本体部３２，３５は、それぞれの一辺部同士が背中合わせの状態で配置され、硬貨貯留部材３１，３４に硬貨が投入されていない初期状態のとき、その一辺部同士が垂直になるように配置されている。
【００４５】
各本体部３２，３５の中心角の角度αは、例えば１３５°に設定されている。また、本体部３２，３５の中心角の位置は、２枚の面部材３７，３８の中心点よりわずかに下方になるように設定されている。
その結果、２つの硬貨貯留部材３１，３４の貯留空間Ｓを大きく採ることができるようになっている。つまり、少しでも多くの硬貨１００を貯留できるようになっている。
なお、中心角度αは、１３５°に限定されず、例えば、９１°〜１５０°の範囲であることが好ましい。要は、２つの硬貨貯留部材３１，３４の硬貨１００が貯留されるそれぞれの底面部が、硬貨貯留部材３１，３４の垂直線から離れた位置に配置されていればよい。
【００４６】
各硬貨貯留部材３１，３４を構成する本体部３２，３５の上部側にはそれぞれ硬貨１００を投入する硬貨投入口３２Ａ，３５Ａが形成され、また、本体部３２，３５の下部側にはそれぞれ硬貨１００を取出す硬貨取出し口３２Ｂ，３５Ｂが形成されている。
そして、硬貨投入口３２Ａ，３５Ａの構成は、前記第１実施形態のスイング貯金箱１０の硬貨投入口１２Ａ，１５Ａと同様であり、また、硬貨取出し口３２Ｂ，３５Ｂの構成も第１実施形態のスイング貯金箱１０の硬貨貨取出し口１２Ｂ，１５Ｂと略同様である。
すなわち、硬貨取出し口３２Ｂ，３５Ｂは、それぞれ開口部３２Ｃ，３５Ｃと、これらの開口部３２Ｃ，３５Ｃを塞ぐ取出し口用蓋部３２Ｄ，３５Ｄとを備えて構成されており、この構成は、前記図５に示した構成と同じに構成されている。
【００４７】
各硬貨貯留部材３１，３４の断面形状が、上記のように略扇形状に形成され、かつ一辺部同士が上述のように配置されているので、各硬貨貯留部材３１，３４のそれぞれの底面部は、上記一辺部、言い換えれば垂直線に対して互いに大きく離れている。
【００４８】
そのため、硬貨貯留部材３１，３４のいずれか一方に硬貨１００が投入されたとき、その投入された硬貨１００が転がって、例えば貯留部材３４の底面部に溜まり、その貯留部材３４側が重くなるので、スイング貯金箱３０はその方向に傾くことになる。
つまり、硬貨貯留部材３１，３４は、投入された硬貨１００の多寡によって、重い方に傾くようになっている。このため、硬貨１００を交互に投入することにより硬貨貯留部材３１，３４、ひいてはスイング貯金箱３０がスイングするようになっている。
【００４９】
図１０に示すように、硬貨貯留部材３１，３４の下端には、前記各面部材３７，３８の下部同士が外側に開かないようにする補強部材４０が設けられている。そして、この補強部材４０を構成する下側部材の中央部には、硬貨貯留部材３１，３４内に硬貨１００が貯留されていない初期状態を維持する錘４１が、面部材３７，３８間に架けわたされている。この錘４１は、スイング貯金箱３０初期状態を維持できる程度の重さがあればよい。
また、各硬貨貯留部材３１，３４においてそれぞれの下部かつ外側の側面には、スイング貯金箱３０が所定角度以上回動しないように、ストッパ４２が設けられている。
【００５０】
次に、以上のような構成の第２実施形態のスイング貯金箱３０の動きを、図１１を参照して説明する。
【００５１】
まず、水平な状態（図７参照）から、図１１（Ａ）に示すように、第２の硬貨貯留部材３４の硬貨投入口３５Ａから硬貨１００を投入した場合、その硬貨１００が硬貨貯留部材３４の下端部に貯留されることになり、その重みにより、スイング貯金箱３０が揺動して左側に傾く。
そして、この動きに連れて、目玉模様部３９の左右の眼球部３９Ｂが目瞼部３９Ａ内をコロコロと転がり、硬貨貯留部材３４側に移動し、左右の眼球部３９Ｂが斜め左側下方を見ている状態となる。
【００５２】
次に、図１１（Ｂ）に示すように、スイング貯金箱３０の第１の硬貨貯留部材３１の硬貨投入口３２Ａから硬貨１００を投入した場合で、かつ、第２の硬貨貯留部材３４に投入した硬貨１００よりも数量が多く、また重量が重い場合、その硬貨１００が硬貨貯留部材３１の下端部に貯留されることになり、その重みにより、スイング貯金箱３０が揺動して右側に傾く。
そして、この動きに連れて、目玉模様部３９の左右の眼球部３９Ｂが目瞼部３９Ａ内をコロコロと転がり、硬貨貯留部材３１側に移動し、左右の眼球部３９Ｂが斜め右側下方を見ている状態となる。
【００５３】
以上に述べたように、硬貨１００が異なる投入硬貨投入口３２Ａ，３５Ａから投入されるたびに、スイング貯金箱３０が左右に揺動することになる。そして、左右に揺動するたびに、その動きに連れて眼球部３９Ｂがコロコロと転がって動く。
【００５４】
以上のような第２実施形態のスイング貯金箱３０によれば、前記（２）〜（５）と略同様の効果と同様の効果の他、次のような効果が得られる。
（６）スイング貯金箱３０の面部材３７，３８の表面に、長い耳３７Ａ，３８Ａと丸い目玉模様部３９とが設けられ、スイング貯金箱３０がウサギの顔状に構成されており、硬貨１００を投入するたびに、スイング貯金箱３０が左右に揺動し、それに連れて目玉模様部３９の左右の眼球部３９Ｂがコロコロと転がり、左を見たり右を見たりする状態となるので、変化に富んだ動きとなり、特に、子供が喜び、貯金への興味を覚え、楽しみながら貯金をするようになる。
【００５５】
以上、前記各実施形態を参照して本考案を説明したが、本考案は前記各実施形態に限定されるものではない。本考案の構成や詳細については、当業者が理解し得るさまざまな変更を加えることができる。また、本考案には、前記各実施形態の構成の一部又は全部を相互に適宜組み合わせたものも含まれる。
【００５６】
例えば、前記第１実施形態では、第１，２の硬貨貯留部材１１，１４を円筒状の本体部１２，１５と蓋部１３，１６とで構成したが、これに限らない。
本体部を、略四角形形状の箱型とし、それぞれの一角部同士を接触させると共に、その一角部に連続する下方の１辺同士を互いに離して配置した構成としてもよい。
また、本体部を断面楕円形形状等に構成してもよい。要は、硬貨を貯留する第１、第２の硬貨貯留部材が、垂直面内で左右に並列状態で配置されていればよいものである。
【００５７】
また、前記第１実施形態では、第１，２の硬貨貯留部材１１，１４を円筒状の本体部１２，１５と蓋部１３，１６とで構成し、本体部１２，１５を水平線上の中心の外周面同士が接触するように配置したが、これに限らない。本体部１２，１５を所定寸法離して配置してもよい。この場合、上連結部材２０および口部２０も、本体部１２，１５に対応するように構成すればよい。
このようにすれば、より少ない硬貨１００の投入でも敏感に反応することができ、変化を楽しむことができる。
【００５８】
さらに、前記第２実施形態では、第１，２の面部材３７，３８の外形形状を、ウサギの顔形状としたが、これに限らない。
その他の動物、例えば、クマ、パンダ、タヌキ、犬、猫や、カニ等の顔形状としてもよく、この場合、動物シリーズのスイング貯金箱として販売することができる。
【００５９】
また、前記第１実施形態のスイング貯金箱１０において口部２０の本体部２１に、第２実施形態の錘４１と同様の錘を設けてもよい。
【００６０】
さらに、前記第１実施形態のスイング貯金箱１０の硬貨取り出し口１２Ｂ，１５Ｂを、側面の開口部１２Ｃ，１５Ｃと、この開口部１２Ｃ，１５Ｃを塞ぐ取出し口用蓋１２Ｄ，１５Ｄとで構成し、取出し口用蓋１２Ｄ，１５Ｄを、切り欠いた残りの部位で構成したが、これに限らない。側面を四角形形状に切り抜いて取出し開口部を形成すると共に、この開口部を塞ぐ蓋を別部材として揃え、これらを、対向する面に貼り付けられた面ファスナーにより、係着自在な構成としてもよい。
前記第２実施形態のスイング貯金箱３０の硬貨取り出し口３２Ｂ，３５Ｂも同様である。
【００６１】
また、前記第２実施形態では、第１，２の面部材３７，３８の外形形状を、長い耳３７Ａ，３８Ａを有するウサギの顔形状としたが、これに限らない。例えば、図１２に示すように、単純な円板形状の第１，２の面部材５７，５８を備えたスイング貯金箱５０としてもよい。
【００６２】
すなわち、スイング貯金箱５０は、上記第１，２の面部材５７，５８と、これらの面部材５７，４５間に配置された第１，２の硬貨貯留部材５１，５４とを備えて構成されている。各面部材５７，５８は、上述のように円板状に形成されており、また、第１，２の硬貨貯留部材５１，５４は、断面略扇形状の筒状部材で形成された本体部５２，５５を備えて構成されている。
この本体部５２，５５は所定の長さ寸法に形成されており、スイング貯金箱５０は、前記第１，２実施形態のスイング貯金箱１０，３０と略同じ厚さ寸法に構成されている。
【００６３】
本体部５２，５５には、それぞれ硬貨投入口５２Ａ，５５Ａと、硬貨取出し口５２Ｂ，５５Ｂとが設けられている。さらに、第１，２の硬貨貯留部材５１，５４の下端間には、各面部材５７，５８の下部近傍の開きを防止するための補強部材６０が設けられ、この補強部材６０の長さ方向中心部近傍には、各硬貨貯留部材５１，５４に硬貨１００が貯留されていない状態の初期状態を維持するための錘６１が設けられている。
また、補強部材６０の長さ方向両端部には、スイング貯金箱５０が所定角度以上回動しないように、ストッパ６２が設けられている。
【００６４】
そして、第１，２の面部材５１，５４の表面で上部位置には、スイング貯金箱５０が左右に揺動する動きに連れて左右に動く移動部材５９が取付けられている。この移動部材５９は、所定厚さの板状部材を略三角形形状に形成したものが使用されている。
この変形形態のスイング貯金箱５０は、略扇型の６個のチーズ片が収納された薄板円板状の市販のチーズ箱を模したものであり、したがって、各面部材５１，５４の表面には６ピースのチーズの絵柄を描いておくと好適である。また、上記移動部材４９は、６個のチーズ片のうちの１個を模したものである。
【００６５】
このようなスイング貯金箱５０は、上述のように市販のチーズ箱を模したものなので、チーズメーカーに売り込むことができる。そして、チーズメーカーでは、販売促進用の景品として利用することができる。
【００６６】
また、前記第２実施形態では、第１，２の面部材３７，３８と、断面扇型の筒状部材からなる本体部３２，３５とでスイング貯金箱３０を構成したが、これに限らない。各面部材３７，３８間に、第１実施形態における円筒状の本体部１２，１５を配置した構成としてもよい。
【００６７】
この場合、本体部１２，１５を接触させずに所定寸法離して配置してもよい。このようにすることで、より少ない硬貨、より軽い硬貨でも敏感に反応するようになるので、変化を楽しむことができる。
【産業上の利用可能性】
【００６８】
本考案のスイング貯金箱は、特に、子供たちが貯金に興味を持つようにプレゼントするとき等に利用できる。
【符号の説明】
【００６９】
１０  スイング貯金箱（第１実施形態）
１１  第１の硬貨貯留部材
１２  本体部
１２Ａ  硬貨投入口
１２Ｂ  硬貨取出し口
１４  第２の硬貨貯留部材
１５  本体部
１５Ａ  硬貨投入口
１５Ｂ  硬貨取出し口
１９  下連結部材
２５  目玉模様部
２５Ｂ  眼球部
３０  スイング貯金箱（第２実施形態）
３２  本体部
３２Ａ  硬貨投入口
３２Ｂ  硬貨取出し口
３４  第２の硬貨貯留部材
３５  本体部
３５Ａ  硬貨投入口
３５Ｂ  硬貨取出し口
３９  目玉模様部
３９Ｂ  眼球部
１００  硬貨
【図１】
0003192538.tif 000003
【図２】
0003192538.tif 000004
【図３】
0003192538.tif 000005
【図４】
0003192538.tif 000006
【図５】
0003192538.tif 000007
【図６】
0003192538.tif 000008
【図７】
0003192538.tif 000009
【図８】
0003192538.tif 000010
【図９】
0003192538.tif 000011
【図１０】
0003192538.tif 000012
【図１１】
0003192538.tif 000013
【図１２】
0003192538.tif 000014